(57)【要約】【課題】扉の意匠性を維持することが可能になる、扉を提供すること。【解決手段】建物の対象空間５に出入りするための開口部２に設けられる扉１であり、開口部２の周縁に設けられた枠体１０と、枠体１０の上側横枠及び下側横枠の各々に取り付けられたヒンジ部によって回動自在に軸支された扉体２０とを備えた扉１であって、扉体２０における対象空間５の外側の側面のうち戸尻側の部分に設けられた指はさみ防止部８０であり、扉体２０の回動状態に関わらず、当該指はさみ防止部８０と枠体１０の戸尻側縦枠１１との相互間の隙間にユーザの指がはさまることを防止するための指はさみ防止部８０を備え、指はさみ防止部８０の平面形状を、扉体２０の回動状態に関わらず当該指はさみ防止部８０が戸尻側縦枠１１と接触することを回避可能な折れ線形状であり、少なくとも２つ以上の屈曲部を有する折れ線形状に形成した。【選択図】図４
2018053636.tif 000002
【特許請求の範囲】
【請求項１】
建物の対象空間へ出入りするための開口部に設けられる扉であり、前記開口部の周縁に設けられた枠体と、前記枠体を構成する枠材のうち上側に位置する上側枠材及び下側に位置する下側枠材の各々に取り付けられたヒンジ部によって回動自在に軸支された扉体とを備えた扉であって、
前記扉体における前記対象空間の外側の側面のうち戸尻側の部分に設けられた指はさみ防止手段であり、当該扉体の回動状態に関わらず、当該指はさみ防止手段と前記枠体を構成する枠材のうち戸尻側に位置する戸尻側枠材との相互間の隙間にユーザの指がはさまることを防止するための指はさみ防止手段を備え、
前記指はさみ防止手段の平面形状を、前記扉体の回動状態に関わらず当該指はさみ防止手段が前記戸尻側枠材と接触することを回避可能な折れ線形状であり、少なくとも２つ以上の屈曲部を有する折れ線形状に形成した、
扉。
【請求項２】
前記扉体によって前記開口部を全閉した全閉状態において前記指はさみ防止手段が前記戸尻側枠材よりも前記対象空間の外側に突出しないように、当該指はさみ防止手段を形成した、
請求項１に記載の扉。
【請求項３】
前記少なくとも２つ以上の屈曲部は、前記扉体によって前記開口部を全閉した全閉状態において最も戸尻側に位置する戸尻側屈曲部と、前記全閉状態において最も戸先側に位置する戸先側屈曲部とを備え、
前記全閉状態において前記ヒンジ部の回転中心位置が前記扉体の見付け方向に沿った中心線よりも前記対象空間の外側に位置するように、当該扉体を配置し、
前記戸先側屈曲部と前記回転中心位置との相互間における見付け方向の第１距離が前記戸尻側屈曲部と前記回転中心位置との相互間における見付け方向の第２距離以下となるように、当該戸尻側屈曲部及び当該戸先側屈曲部を配置した、
請求項１又は２に記載の扉。
【請求項４】
前記指はさみ防止手段は、当該指はさみ防止手段の戸尻側の端部から前記戸尻側屈曲部に至る戸尻側側部と、当該指はさみ防止手段の戸先側の端部から前記戸先側屈曲部に至る戸先側側部とを備え、
前記戸先側側部の前記扉体に対する第１傾斜角度が前記戸尻側側部の前記扉体に対する第２傾斜角度以下になるように、当該戸尻側側部及び当該戸先側側部を形成した、
請求項３に記載の扉。
【請求項５】
前記全閉状態において前記指はさみ防止手段の戸尻側の端部と前記戸尻側枠材の戸先側の端部とが見込み方向に沿って相互に略面一となるように、当該指はさみ防止手段を形成した、
請求項１から４のいずれか一項に記載の扉。
【請求項６】
前記扉体は、
当該扉体の戸尻側の側面の一部を覆う第１表面材と、
当該扉体の戸尻側の側面の他の一部を覆う第２表面材と、を備え、
前記指はさみ防止手段に設けられたカバー手段であり、前記第１表面材の戸尻側の部分と前記第２表面材の戸尻側の部分との突き合せ部を覆うためのカバー手段を備えた、
請求項１から５のいずれか一項に記載の扉。
【請求項７】
前記戸尻側枠材の側部のうち、前記対象空間に位置する側部に設けられた気密手段であり、前記全閉状態において、前記扉体に密接することにより、当該戸尻側枠材と当該扉体との相互間の気密性を高めるための気密手段を備え、
前記扉体によって前記開口部を全開した全開状態又は前記全閉状態と前記全開状態との間の状態にある非全開閉状態のいずれの状態においても、前記カバー手段が前記気密手段と接触しない又は前記カバー手段によって前記気密手段が捲りあがることを回避可能に当該気密手段と接触するように、当該カバー手段を形成した、
請求項６に記載の扉。
【発明の詳細な説明】
【技術分野】
【０００１】
本発明は、扉に関する。
【背景技術】
【０００２】
従来、建物の開口部に取り付けられる扉を対象として、当該扉を構成する扉体の開閉の際に、扉体と開口部に設けられた戸尻側の枠材との相互間の隙間にユーザの指がはさまることを防止できる扉が提案されている。このような扉は、概略的には、トイレットブース等の対象空間に設置された扉であり、戸尻側の枠材に取り付けられた吊り軸に軸支された扉体と、扉体の戸尻側の端部に取り付けられた側縁材と、扉体における対象空間の外側の側面に取り付けられた指挟み防止装置と、戸尻側の枠材に取り付けられた壁側縁部材とを備えている。また、側縁材の平面形状は、壁側縁部材に対向する面が曲線形状（具体的には、円弧形状）となっている凸形状に形成されている。また、指挟み防止装置の平面形状は、壁側縁部材に対向する面が曲線形状（具体的には、円弧形状）となっている凸部形状に形成されている。また、壁側縁部材の平面形状は、側縁材又は指挟み防止装置に対向する面が曲線形状となっている凹部形状に形成されている。これら側縁材、指挟み防止装置、及び壁側縁部材によって、扉体の回動状態に関わらず、壁側縁部材と側縁材又は指挟み防止装置との相互間の隙間の大きさを常に指の挿入が不可能な大きさ程度以下に維持でき、当該隙間にユーザの指がはさまることを防止することができる（例えば、特許文献１参照）。
【先行技術文献】
【特許文献】
【０００３】
【特許文献１】特開２００３−１８４４１９号公報
【発明の概要】
【発明が解決しようとする課題】
【０００４】
しかしながら、上記扉においては、上述したように、指挟み防止装置の平面形状が曲線形状（具体的には、円弧形状）を含む凸部形状であるので、上記周辺部材が従来より直線を中心とした平面形状にデザインされていることからすると、扉体の回動状態に関わらず、指挟み防止装置と上記周辺部材との形状の統一性を維持することが難しくなる。このことから、指挟み防止装置と上記周辺部材との意匠の調和を図ることが難しくなるので、全閉状態における扉の意匠性を維持する観点から改善の余地があった。
【０００５】
本発明は、上記従来技術における課題を解決するためのものであって、扉の意匠性を維持することが可能になる、扉を提供することを目的とする。
【課題を解決するための手段】
【０００６】
上述した課題を解決し、目的を達成するために、請求項１に記載の扉は、建物の対象空間へ出入りするための開口部に設けられる扉であり、前記開口部の周縁に設けられた枠体と、前記枠体を構成する枠材のうち上側に位置する上側枠材及び下側に位置する下側枠材の各々に取り付けられたヒンジ部によって回動自在に軸支された扉体とを備えた扉であって、前記扉体における前記対象空間の外側の側面のうち戸尻側の部分に設けられた指はさみ防止手段であり、当該扉体の回動状態に関わらず、当該指はさみ防止手段と前記枠体を構成する枠材のうち戸尻側に位置する戸尻側枠材との相互間の隙間にユーザの指がはさまることを防止するための指はさみ防止手段を備え、前記指はさみ防止手段の平面形状を、前記扉体の回動状態に関わらず当該指はさみ防止手段が前記戸尻側枠材と接触することを回避可能な折れ線形状であり、少なくとも２つ以上の屈曲部を有する折れ線形状に形成した。
【０００７】
請求項２に記載の扉は、請求項１に記載の扉において、前記扉体によって前記開口部を全閉した全閉状態において前記指はさみ防止手段が前記戸尻側枠材よりも前記対象空間の外側に突出しないように、当該指はさみ防止手段を形成した。
【０００８】
請求項３に記載の扉は、請求項１又は２に記載の扉において、前記少なくとも２つ以上の屈曲部は、前記扉体によって前記開口部を全閉した全閉状態において最も戸尻側に位置する戸尻側屈曲部と、前記全閉状態において最も戸先側に位置する戸先側屈曲部とを備え、前記全閉状態において前記ヒンジ部の回転中心位置が前記扉体の見付け方向に沿った中心線よりも前記対象空間の外側に位置するように、当該扉体を配置し、前記戸先側屈曲部と前記回転中心位置との相互間における見付け方向の第１距離が前記戸尻側屈曲部と前記回転中心位置との相互間における見付け方向の第２距離以下となるように、当該戸尻側屈曲部及び当該戸先側屈曲部を配置した。
【０００９】
請求項４に記載の扉は、請求項３に記載の扉において、前記指はさみ防止手段は、当該指はさみ防止手段の戸尻側の端部から前記戸尻側屈曲部に至る戸尻側側部と、当該指はさみ防止手段の戸先側の端部から前記戸先側屈曲部に至る戸先側側部とを備え、前記戸先側側部の前記扉体に対する第１傾斜角度が前記戸尻側側部の前記扉体に対する第２傾斜角度以下になるように、当該戸尻側側部及び当該戸先側側部を形成した。
【００１０】
請求項５に記載の扉は、請求項１から４のいずれか一項に記載の扉において、前記全閉状態において前記指はさみ防止手段の戸尻側の端部と前記戸尻側枠材の戸先側の端部とが見込み方向に沿って相互に略面一となるように、当該指はさみ防止手段を形成した。
【００１１】
請求項６に記載の扉は、請求項１から５のいずれか一項に記載の扉において、前記扉体は、当該扉体の戸尻側の側面の一部を覆う第１表面材と、当該扉体の戸尻側の側面の他の一部を覆う第２表面材と、を備え、前記指はさみ防止手段に設けられたカバー手段であり、前記第１表面材の戸尻側の部分と前記第２表面材の戸尻側の部分との突き合せ部を覆うためのカバー手段を備えた。
【００１２】
請求項７に記載の扉は、請求項６に記載の扉において、前記戸尻側枠材の側部のうち、前記対象空間に位置する側部に設けられた気密手段であり、前記全閉状態において、前記扉体に密接することにより、当該戸尻側枠材と当該扉体との相互間の気密性を高めるための気密手段を備え、前記扉体によって前記開口部を全開した全開状態又は前記全閉状態と前記全開状態との間の状態にある非全開閉状態のいずれの状態においても、前記カバー手段が前記気密手段と接触しない又は前記カバー手段によって前記気密手段が捲りあがることを回避可能に当該気密手段と接触するように、当該カバー手段を形成した。
【発明の効果】
【００１３】
請求項１に記載の扉によれば、指はさみ防止手段の平面形状を、扉体の回動状態に関わらず当該指はさみ防止手段が戸尻側枠材と接触することを回避可能な折れ線形状であり、少なくとも２つ以上の屈曲部を有する折れ線形状に形成したので、扉体の回動状態に関わらず、指はさみ防止手段と戸尻側枠材との相互間の隙間にユーザの指がはさまることを防止し、且つ扉の使用性を維持することができる。また、特に、指はさみ防止手段の平面形状が円弧状部分を含む曲線形状である場合に比べて、当該指はさみ防止手段の周辺部材が従来より直線を中心とした平面形状にデザインされていることからすると、扉体の回動状態に関わらず、指はさみ防止手段と上記周辺部材との形状の統一性を維持することができる。よって、指はさみ防止手段と上記周辺部材との意匠の調和が図りやすくなるので、扉の意匠性を維持することが可能となる。
【００１４】
請求項２に記載の扉によれば、全閉状態において指はさみ防止手段が戸尻側枠材よりも対象空間の外側に突出しないように、当該指はさみ防止手段を形成したので、全閉状態において指はさみ防止手段を戸尻側枠材よりも対象空間の外側に突出させた場合に比べて、指はさみ防止手段が目立たなくなることから、全閉状態における扉の意匠性を維持することが可能となる。
【００１５】
請求項３に記載の扉によれば、全閉状態においてヒンジ部の回転中心位置が扉体の見付け方向に沿った中心線よりも対象空間の外側に位置するように、当該扉体を配置し、戸先側屈曲部と回転中心位置との相互間における見付け方向の第１距離が戸尻側屈曲部と回転中心位置との相互間における見付け方向の第２距離以下となるように、当該戸尻側屈曲部及び当該戸先側屈曲部を配置したので、第１距離が第２距離上回る場合に比べて、全開状態寄りの非全開閉状態において指はさみ防止手段と戸尻側縦枠との相互間の隙間を大きくすることができる。これにより、指はさみ防止手段又は戸尻側枠材の製造精度の影響（例えば部材の歪、ゆがみ等の影響）で指はさみ防止手段が戸尻側枠材と接触することを回避できるので、扉の使用性を一層維持することが可能となる。
【００１６】
請求項４に記載の扉によれば、戸先側側部の扉体に対する第１傾斜角度が戸尻側側部の扉体に対する第２傾斜角度以下になるように、当該戸尻側側部及び当該戸先側側部を形成したので、第１傾斜角度を第２傾斜角度よりも大きくした場合に比べて、全開状態（又は全開状態に近い非全開閉状態）において指はさみ防止手段と戸尻側枠材との相互間の隙間を小さくすることができる。これにより、上記隙間に指が挟まることを回避できるので、扉の安全性を一層確保することが可能となる。
【００１７】
請求項５に記載の扉によれば、全閉状態において指はさみ防止手段の戸尻側の端部と戸尻側枠材の戸先側の端部とが見込み方向に沿って相互に略面一となるように、当該指はさみ防止手段を形成したので、全閉状態において指はさみ防止手段と戸尻側枠材との相互間の隙間を介して他の部材が対象空間の外側から見えることを抑制でき、全閉状態における扉の意匠性をさらに一層維持することが可能となる。
【００１８】
請求項６に記載の扉によれば、指はさみ防止手段に設けられたカバー手段であり、第１表面材の戸尻側の部分と第２表面材の戸尻側の部分との突き合せ部を覆うためのカバー手段を備えたので、突き合せ部を介して扉体の内部に水等が浸入すること抑制でき、扉体の内部に配置された部材が錆びることを抑制することが可能となる。
【００１９】
請求項７に記載の扉によれば、全開状態又は非全開閉状態のいずれの状態においても、カバー手段が気密手段と接触しない又はカバー手段によって気密手段が捲りあがることを回避可能に当該気密手段と接触するように、当該カバー手段を形成したので、全開状態又は非全開閉状態のいずれの状態においてもカバー手段と気密手段との接触によって気密手段が捲りあがることを抑制でき、全閉状態において戸尻側枠材と扉体との相互間の気密性が低下することを回避できる。
【図面の簡単な説明】
【００２０】
【図１】本発明の実施の形態に係る扉であって、全閉状態を示す正面図である。
【図２】図１の扉の背面図である（一部図示省略）。
【図３】図１の扉のＡ−Ａ矢視断面図である（一部図示省略）。
【図４】図３の戸尻側の領域の拡大図である（一部図示省略）。
【図５】指はさみ防止部を示す図であり、（ａ）は正面図、（ｂ）は底面図、（ｃ）は右側面図である。
【図６】図４の扉体の回動状態を示す図（一部図示省略）であり、（ａ）は全閉状態を示す図、（ｂ）は全閉状態に近い非全開閉状態を示す図、（ｃ）は全開状態寄りの非全開閉状態を示す図、（ｄ）は全開状態に近い全開状態を示す図である。
【図７】第１距離が第２距離を上回る場合の扉体の回動状態を示す図（一部図示省略）であり、（ａ）は全閉状態を示す図、（ｂ）は全開状態寄りの非全開閉状態を示す図である。
【図８】第１傾斜角度が第２傾斜角度よりも大きい場合の扉体の回動状態を示す図（一部図示省略）であり、（ａ）は全閉状態を示す図、（ｂ）は全開状態に近い全開状態を示す図である。
【発明を実施するための形態】
【００２１】
以下に添付図面を参照して、この発明に係る扉の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、建物の対象空間へ出入りするための開口部に設けられる扉であり、開口部の周縁に設けられた枠体と、枠体を構成する後述する戸尻側縦枠に取り付けられた後述するヒンジ部によって回動自在に軸支された扉体とを備えた扉に関するものである。
【００２３】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の対象空間」とは、扉によって区画される対象となる空間を意味し、例えば、建物に設けられた玄関スペース、会議室、トイレブース等を含める概念である。また、「対象空間の内側」とは、開口部より対象空間側（後述する図３の後方側）を意味し、「対象空間の外側」とは、開口部より対象空間側とは反対側（後述する図３の前方側）を意味する。また、「開口部」とは、対象空間の外側において隣接して設置された空間であって、建物の躯体の一部分（例えば、壁等）において窓や出入口を設置するために形成された空間を意味する。また、「扉」は、開口部に設置される構造体であって、開口部の出入りを抑制又は制限するための構造体を意味する。また、扉の取り付け位置や用途は任意であるが、例えば玄関に設置される「玄関扉」、勝手口や通用口に設置される「勝手口扉」、あるいは建物内部に設置される「室内扉」等を含む。また、扉の開閉構造は任意であり、例えば、片開式の開き戸、両開式の開き戸（いわゆる親子型の扉）として構成することができる。また、「扉体の回動状態」とは、例えば、扉体によって開口部を全閉した「全閉状態」と、扉によって開口部を全開した「全開状態」と、全閉状態と全開状態との間の状態である「非全開閉状態」とを含む概念である。また、「扉体の位置」とは、例えば、全閉状態に対応する「全閉位置」と、全開状態に対応する「全開位置」と、非全開閉状態に対応する「非全開閉位置」とを含む概念である。以下、実施の形態では、扉が建物の玄関スペース（対象空間。例えば、後述する扉体よりも図３の後方側（−Ｙ方側）に位置する空間が該当する。）へ出入りするための開口部に設けられた片開式の外開き戸である場合について説明する。
【００２４】
〔ＩＩ〕実施の形態の具体的内容
次に、実施の形態の具体的内容について説明する。
【００２５】
（構成）
最初に、実施の形態に係る扉の構成について説明する。以下の説明では、図１のＸ方向を扉の左右方向又は幅方向（−Ｘ方向を扉の左方向、＋Ｘ方向を扉の右方向）、図３のＹ方向を扉の前後方向（＋Ｙ方向を扉の前方向（対象空間の外側の方向）、−Ｙ方向を扉の後方向（対象空間の内側の方向））、図１のＺ方向を扉の上下方向（＋Ｚ方向を扉の上方向、−Ｚ方向を扉の下方向）と称する。また、図３、図４、図６から図８においては、後述するヒンジ部の回転中心位置Ｃ及び後述する設置領域Ｔを点線で示す。また、図４においては、後述する第１仮想線Ｌ１、後述する第２仮想線Ｌ２、及び後述する第３仮想線Ｌ３を２点鎖線で示す。
【００２６】
図１に示すように、この扉１は、概略的に、枠体１０、扉体２０、袖パネル体６０、及びヒンジ部（図示省略）を備えて構成されている。ただし、扉１に関する特記しない構成については、従来と同様であるものとして説明を省略する。なお、後述する扉１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２７】
（構成−枠体）
枠体１０は、建物の躯体６に形成された開口部２の周縁及びその近傍位置に設置されるものであり、図１に示すように、相互に間隔を隔てて並設された３つの鋼製の縦枠１１、１２、１３（これら縦枠１１、１２、１３の並設方向は左右方向となる）、及び上下一対の鋼製の横枠１４、１５を備えている。これら縦枠１１、１２、１３及び横枠１４、１５は、相互に組み合わせられることにより正面の外形形状が矩形状となる枠体１０を構成する。以下では、必要に応じて、３つの縦枠１１、１２、１３のうち、最も右側の縦枠１１（戸尻側枠材）を「戸尻側縦枠１１」と称し、最も左側の縦枠１２を「袖パネル体側縦枠１２」と称し、戸尻側縦枠１１と袖パネル体側縦枠１２との間に位置する縦枠１３を「戸先側縦枠１３」と称する。また、上下一対の横枠１４、１５のうち、上側の横枠１４（上側枠材）を「上側横枠１４」と称し、下側の横枠１５（下側枠材）を「下側横枠１５」と称する。なお、実施の形態では、戸尻側縦枠１１、戸先側縦枠１３、上側横枠１４、及び下側横枠１５によって開口部２が囲繞されており、袖パネル体側縦枠１２、戸先側縦枠１３、上側横枠１４、及び下側横枠１５によって開口部２の左側に隣接する隣接空間３であり、建物の躯体６と対向するように位置する隣接空間３が囲繞されている。
【００２８】
また、戸先側縦枠１３には、デッドボルト受け、ラッチ受け、及びドアガード受けが設けられている（いずれも図示省略）。デッドボルト受けは、扉体２０を全閉位置（実施の形態においては図１に示す位置）に位置させた状態において、扉体２０に設けられた後述する公知のデッドボルトを受けるためのデッドボルト受容手段であり、後述するデッドボルトと対応する位置に配置されている。ラッチ受けは、扉体２０に設けられた後述するラッチを受けるためのラッチ受容手段であり、ラッチと対応する位置に配置されている。ドアガード受けは、扉体２０に設けられた後述するドアガード５１を受けるためのドアガード受容手段であり、ドアガード５１と対応する位置に配置されている。また、図３に示すように、戸尻側縦枠１１及び戸先側縦枠１３の各々の側部のうち対象空間５に位置する側部（具体的には、全閉状態において扉体２０における対象空間５の内側の側面と対向する側部）には、第１気密部１６が設けられている。第１気密部１６は、全閉状態において、扉体２０に密接することにより、戸尻側縦枠１１又は戸先側縦枠１３と当該扉体２０との相互間の気密性を高めるための気密手段である。この第１気密部１６は、戸尻側縦枠１１又は戸先側縦枠１３の上下方向の全長（又は当該全長よりも短い長さ）にわたって形成されており、戸尻側縦枠１１又は戸先側縦枠１３の後述する第２凹部７２において、第１気密部１６の一部が後述する第２凹部７２から突出することにより、少なくとも全閉状態において扉体２０と当接するように収容されている。また、上側横枠１４及び下側横枠１５の各々の側部のうち対象空間５に位置する側部（具体的には、全閉状態において扉体２０における対象空間５の内側の側面と対向する側部）には、第２気密部（図示省略）が設けられている。第２気密部は、全閉状態において、扉体２０に密接することにより、上側横枠１４又は下側横枠１５と当該扉体２０との相互間の気密性を高めるための気密手段である。この第２気密部は、上側横枠１４及び下側横枠１５の左右方向の全長よりも短い長さ（又は当該全長）にわたって形成されており、少なくとも全閉状態において扉体２０と当接可能な位置に配置されている。
【００２９】
（構成−扉体）
図１に戻り、扉体２０は、開口部２を開閉するための平板状の開閉体であり、図１、図３に示すように、扉フレーム３０、表面材４１、４２、及びコア５０を備えている。
【００３０】
（構成−扉体−扉フレーム）
扉フレーム３０は、扉体２０の剛性を主として担う支持部材である。この扉フレーム３０は、鋼製の左右一対の縦力骨３１、３２及び上下一対の横力骨（図示省略）を組み合わせることによって、正面形状が矩形環状となるように形成されている。このうち、左右一対の縦力骨３１、３２は、長手方向（上下方向）の長さが相互に略同一となるように形成されており、上下方向に略沿うように設けられている。また、上下一対の横力骨は、長手方向（左右方向）の長さが相互に略同一となるように形成されており、左右方向に略沿うように設けられている。以下では、必要に応じて、左右一対の縦力骨３１、３２のうち、戸尻側の縦力骨３１を「戸尻側縦力骨３１」と称し、戸先側の縦力骨３２を「戸先側縦力骨３２」と称する。
【００３１】
（構成−扉体−表面材）
表面材４１は、扉体２０の戸尻側の側面（戸尻側の見込面）の一部（実施の形態では、扉体２０の戸尻側の側面の一部、扉体２０における対象空間５の外側の側面（対象空間５の外側の見付面）全体、及び扉体２０の戸先側の側面（戸先側の見込面）の一部）を覆う第１表面材である。また、表面材４２は、扉体２０の戸尻側の側面の他の一部（実施の形態では、扉体２０の戸尻側の側面の他の一部、扉体２０における対象空間５の内側の側面（対象空間５の内側の見付面）全体、及び扉体２０の戸先側の側面の他の一部）を覆う第２表面材である。これら表面材４１、４２は、例えば薄厚な鋼材（一例として、スチール、ステンレス）等を用いて構成されており、扉フレーム３０を前方及び後方から挟むように配置され、扉フレーム３０に対して溶接、リベット、又は接着剤等によって固定されている。以下では、必要に応じて、これら表面材４１、４２のうち、対象空間５の外側に配置された表面材４１を「外側表面材４１」と称し、対象空間５の内側に配置された表面材４２を「内側表面材４２」と称する。
【００３２】
（構成−扉体−コア）
コア５０は、扉体２０の心材である。このコア５０は、正面形状が矩形状となるように形成されており、外側表面材４１及び内側表面材４２によって囲繞された空間内に充填されている。また、このコア５０の具体的な構造や材質は任意であるが、例えば、比較的軽量且つ高い剛性を有する公知のコア材（一例として、ハニカムコア等）にて形成されている。
【００３３】
（構成−扉体−その他の構成）
また、図３に示すように、扉体２０における対象空間５の内側の部分のうち戸尻側の部分には、全開状態又は非全開閉状態において扉体２０が第１気密部１６又は枠体１０と接触することを回避するための切欠部が形成されている。また、図１、図２に示すように、扉体２０の戸先側には、ユーザが扉体２０の開閉操作を行うための把手５３と、扉体２０を施錠するための施錠装置（図示省略）と、施錠装置による施錠の有無に関わらず、全閉位置に扉体２０を維持するためのラッチ（図示省略）と、扉体２０の開度を一定以下に制限するためのドアガード５１とが設けられている。また、図２に示すように、扉体２０における対象空間５の内側の部分の上側には、扉体２０が開かれた場合に、扉体２０を安全な速度で自動的に閉じるためのものであると共に、扉体２０の回動状態が全開状態以上の状態になることを規制するためのドアクローザ５２が設けられている。
【００３４】
（構成−袖パネル体）
袖パネル体６０は、扉１の意匠性を向上させるために、隣接空間３に対向する建物の躯体６を覆うための平板状の開閉体でる。この袖パネル体６０は、図３に示すように、隣接空間３に配置されており、上側横枠１４及び下側横枠１５の各々に取り付けられたヒンジ部（図示省略）によって回動自在に軸支されている。また、この袖パネル体６０の具体的な構成については任意であるが、例えば、図３に示すように、袖パネル体６０の剛性を主として担うパネル枠６１であり、正面形状が矩形環状となるように形成されたパネル枠６１と、袖パネル体６０の対象空間５の外側の側面を覆う化粧材６２とを備えて構成されている。
【００３５】
（構成−ヒンジ部）
ヒンジ部は、扉体２０を上側横枠１４及び下側横枠１５に対して回動自在に軸支するためのものである。このヒンジ部は、例えばピボットヒンジ等の公知のヒンジ部材等を用いて構成されており、扉体２０の戸尻側における上方及び下方の各々に配置されており、上側横枠１４又は下側横枠１５及び扉体２０に対して固定具等によって取り付けられている。
【００３６】
（構成−戸尻側縦枠、袖パネル体側縦枠、及び戸先側縦枠の構成の詳細）
次に、戸尻側縦枠１１、袖パネル体側縦枠１２、及び戸先側縦枠１３の構成の詳細について説明する。ただし、これら戸尻側縦枠１１、袖パネル体側縦枠１２、及び戸先側縦枠１３は、特記する場合を除いて、任意の形状、方法、及び材質で製造することができる。
【００３７】
実施の形態においては、図３に示すように、戸尻側縦枠１１には第１凹部７１が設けられている。第１凹部７１は、扉体２０の左右方向の外側の一部を収容するためのものであり、戸尻側縦枠１１における扉体２０に対応する部分において、左右方向の外側に向けて突出する凹状に形成されている。また、図３に示すように、戸尻側縦枠１１及び戸先側縦枠１３の各々には、第２凹部７２が設けられている。第２凹部７２は、第１気密部１６の一部を収容するためのものであり、戸尻側縦枠１１及び戸先側縦枠１３の各々における対象空間５の内側の部分と対応する部分において、対象空間５の内側に向けて突出する凹状に形成されている。
【００３８】
また、図３、図４に示すように、戸尻側縦枠１１には、召し合わせ部７４が設けられている。召し合わせ部７４は、戸尻側縦枠１１と扉体２０との相互間の隙間を覆うものであり、戸尻側縦枠１１の第１凹部７１における対象空間５の外側の部分において、扉体２０に向けて突出する凸状に形成されている。このような召し合わせ部７４により、扉体２０の回動状態に関わらず、戸尻側縦枠１１と扉体２０との相互間の隙間を介して対象空間５の外側から対象空間５の内側が見えないようにすることができ、扉１の意匠性及び防犯性を向上させることが可能となる。
【００３９】
（構成−扉体の構成の詳細）
次に、扉体２０の構成の詳細について説明する。ただし、この扉体２０は、特記する場合を除いて、任意の形状、方法、及び材質で製造することができる。
【００４０】
（構成−扉体の構成の詳細−扉体の設置位置の詳細）
まず、扉体２０の設置位置の詳細について説明する。この扉体２０の設置位置の詳細については、実施の形態では、図３、図４に示すように、全閉状態においてヒンジ部の回転中心位置Ｃが扉体２０の見付け方向（左右方向）に沿った中心線よりも対象空間５の外側に位置するように設置している。具体的には、扉体２０の回動状態に関わらず扉体２０が戸尻側縦枠１１と接触しない位置であって、全閉状態（又は、全閉状態及び全閉状態に近い非全開閉状態）において扉体２０が第１気密部１６のエッジ部１６ａと接触し、且つ、全開状態（又は、全開状態及び全開状態に近い非全開閉状態）において扉体２０がエッジ部１６ａと接触しない位置に設置している。このような設置位置に設定した理由は、以下に示す通りである。すなわち、ヒンジ部の回転中心位置Ｃを上記中心線上に位置させた場合には、扉体２０の回動状態に関わらず、扉体２０がエッジ部１６ａと常時接触した状態になりやすいため、このような接触状態によりエッジ部１６ａの磨耗を促進させたり、又扉体２０の回動時にエッジ部１６ａによる抵抗を増大させるおそれがあるので、これを回避するためである。
【００４１】
（構成−扉体の構成の詳細−指はさみ防止部）
また、図３から図５に示すように、扉体２０における対象空間５の外側の側面のうち戸尻側の部分には、指はさみ防止部８０が設けられている。指はさみ防止部８０は、扉体２０の回動状態に関わらず、戸尻側縦枠１１と当該指はさみ防止部８０との相互間の隙間にユーザの指がはさまることを防止するための指はさみ防止手段である。ここで、戸尻側縦枠１１と指はさみ防止部８０との相互間の隙間の大きさについては、具体的には、扉体２０の回動状態に関わらず、常にユーザの指の挿入が不可能な大きさ程度以下（例えば、当該隙間の大きさが最大でも７ｍｍ以下等）となるように設定されている。また、この指はさみ防止部８０は、例えば、アルミニウム材、スチール材、ステンレス材、又は樹脂材等にて形成されており、固定具（例えば、ネジ、クリップ、キャップ等）又は両面テープ等によって扉体２０に対して取り付けられている。また、この指はさみ防止部８０の具体的な形状については任意であるが、実施の形態では、図４、図５に示すように、当該指はさみ防止部８０の左右方向の長さ（幅）が扉体２０の左右方向の長さ（幅）よりも短くなるように形成されていると共に、当該指はさみ防止部８０の上下方向の長さ（高さ）が扉体２０の上下方向の長さ（高さ）と略同一（又はそれよりも短い長さ）となるように形成されている。
【００４２】
（構成−扉体の構成の詳細−指はさみ防止部−指はさみ防止部の構成の詳細−第１の特徴）
次に、指はさみ防止部８０の構成の詳細について説明する。まず、指はさみ防止部８０の構成の第１の特徴については、図４から図６に示すように、指はさみ防止部８０の平面形状（指はさみ防止部８０の上方から見た場合の形状）が、扉体２０の回動状態に関わらず当該指はさみ防止部８０が戸尻側縦枠１１と接触することを回避可能な折れ線形状であり、少なくとも２つ以上の屈曲部を有する折れ線形状に形成されている。ここで、「折れ線形状」とは、屈曲部を形成する側部であり、直線状に形成された側部のみからなる形状を意味する。また、指はさみ防止部８０の平面形状を上記折れ線形状とした理由は、例えば、指はさみ防止部８０の平面形状を円弧状部分を含む曲線形状とした場合には、図１、図３、図４に示すように、指はさみ防止部８０の周辺部材（例えば、扉体２０、戸尻側縦枠１１等。以下、「周辺部材」と称する。）が直線を中心とした平面形状にデザインされていることからすると、扉体２０の回動状態に関わらず、指はさみ防止部８０と周辺部材との形状の統一性を維持することが難しくなるため、指はさみ防止部８０と周辺部材との意匠の調和を図ることが難しくなることから、このような問題を回避するためである。
【００４３】
具体的には、図４から図５に示すように、指はさみ防止部８０は、全閉状態において最も戸尻側に位置する戸尻側屈曲部８１と、全閉状態において最も戸先側に位置する戸先側屈曲部８２を有する折れ線形状に形成されている。より具体的には、全閉状態において最も戸尻側に位置する（図４では、指はさみ防止部８０の戸尻側の端部から戸尻側屈曲部８１に至るように位置する）戸尻側側部８３と、全閉状態において最も戸先側に位置する（図４では、指はさみ防止部８０の戸先側の端部から戸先側屈曲部８２に至るように位置する）戸先側側部８４と、戸尻側屈曲部８１から戸先側屈曲部８２に至る中間側部８５とからなる折れ線形状であり、戸尻側側部８３と中間側部８５との間に戸尻側屈曲部８１が位置し、戸先側側部８４と中間側部８５との間に戸先側屈曲部８２が位置する折れ線形状にて形成されている。また、これら戸尻側側部８３、戸先側側部８４、及び中間側部８５の設置位置の詳細については、具体的には、図４に示すように、扉体２０の回動状態に関わらず、第１仮想線Ｌ１と第２仮想線Ｌ２との相互間に形成される領域Ｔ（以下、「設置領域Ｔ」と称する）内に位置するように設置されている。ここで、「第１仮想線Ｌ１」とは、指はさみ防止部８０の形状の設定範囲を示す仮想線であり、扉体２０の回動状態に関わらず、指はさみ防止部８０と戸尻側縦枠１１とが接触しない最大の形状となる範囲を示す仮想線である。また、「第２仮想線Ｌ２」とは、指はさみ防止部８０の形状の設定範囲を示す仮想線であり、扉体２０の回動状態に関わらず、戸尻側縦枠１１における指の挟まりを回避したい部分（実施の形態では、召し合わせ部７４の先端部７４ａ）と指はさみ防止部８０との相互間の距離がユーザの指の挿入ができない最大距離となる形状の範囲を示す仮想線である。
【００４４】
また、戸尻側屈曲部８１及び戸先側屈曲部８２の設置方法については任意であるが、実施の形態では、図４に示すように、戸先側屈曲部８２とヒンジ部の回転中心位置Ｃとの相互間における見付け方向（左右方向）の距離Ｘ１（以下、「第１距離Ｘ１」と称する）が戸尻側屈曲部８１と上記回転中心位置Ｃとの相互間における見付け方向（左右方向）の距離Ｘ２（以下、「第２距離Ｘ２」と称する）以下となるように設置している。具体的には、第１距離Ｘ１が第２距離Ｘ２よりも下回り、且つ戸尻側屈曲部８１及び戸先側屈曲部８２が第１仮想線Ｌ１と第２仮想線Ｌ２との相互間に位置する略第３仮想線Ｌ３上に位置するように設置している。ここで、「第３仮想線Ｌ３」とは、扉体２０の回動に伴う扉体２０の軌跡のうち、扉体２０の対象空間５の外側の側面の端部のうち戸尻側の端部２１の軌跡を示す仮想線である。また、第１距離Ｘ１を第２距離Ｘ２以下とした理由は、以下に示す通りとなる。すなわち、図７に示すように第１距離Ｘ１が第２距離Ｘ２を上回る場合には、図４、図６に示すように第１距離Ｘ１を第２距離Ｘ２以下とした場合に比べて、全開状態寄りの非全開閉状態において指はさみ防止部８０と召し合わせ部７４の先端部７４ａとの相互間の隙間Ｓ２（図６（ｃ）、図７（ｂ）参照）が小さくなるので、指はさみ防止部８０又は戸尻側縦枠１１（特に、召し合わせ部７４）の製造精度の影響（例えば部材の歪、ゆがみ等の影響）で指はさみ防止部８０が召し合わせ部７４と接触するおそれがあることから、これを回避して扉１の使用性を維持するためである。また、戸尻側屈曲部８１を略第３仮想線Ｌ３上に位置させた理由は、以下に示す通りとなる。すなわち、戸尻側屈曲部８１を略第１仮想線Ｌ２の近傍に位置させた場合には、戸尻側屈曲部８１を略第３仮想線Ｌ３上に位置させた場合に比べて、全閉状態に近い非全開閉状態において指はさみ防止部８０と先端部７４ａとの相互間の隙間Ｓ１（図６（ｂ）参照）が大きくなるので、当該隙間Ｓ１に指が挟まるおそれがあることから、これを回避して扉１の安全性を一層確保するためである。
【００４５】
また、戸尻側側部８３及び戸先側側部８４の具体的な構成については任意であるが、実施の形態では、図４に示すように、戸先側側部８４の扉体２０に対する傾斜角度α１（以下、「第１傾斜角度α１」と称する）が戸尻側側部８３の扉体２０に対する傾斜角度α２（以下、「第２傾斜角度α２」と称する）以下となるように形成されている。具体的には、指はさみ防止部８０の戸先側の端部と戸先側屈曲部８２との相互間における見付け方向（左右方向）の距離Ｘ３（以下、「第３距離Ｘ３」と称する）が、指はさみ防止部８０の戸尻側の端部と戸尻側屈曲部８１との相互間における見付け方向（左右方向）の距離Ｘ４（以下、「第４距離Ｘ４」と称する）よりも長くなるように形成されている。ここで、第１傾斜角度α１を第２傾斜角度α２以下にした理由は、以下に示す通りとなる。すなわち、図８に示すように第１傾斜角度α１を第２傾斜角度α２よりも大きくした場合には、図４、図６に示すように第１傾斜角度α１を第２傾斜角度α２以下にした場合に比べて、全開状態に近い非全開閉状態において指はさみ防止部８０と召し合わせ部７４の先端部７４ａとの相互間の隙間Ｓ３（図６（ｄ）、図８（ｂ）参照）が大きくなるので、当該隙間Ｓ３に指が挟まるおそれがあることから、これを回避して扉１の安全性を一層確保するためである。
【００４６】
また、中間側部８５の具体的な構成については任意であるが、実施の形態では、図４に示すように、全閉状態において中間側部８５が見付け方向（左右方向）に略沿うように形成されている。具体的には、全閉状態において、戸尻側屈曲部８１と戸先側屈曲部８２との相互間における見付け方向（左右方向）の距離（すなわち、第１距離Ｘ１及び第２距離Ｘ２の合計距離）が、第３距離Ｘ３又は第４距離Ｘ４のいずれよりも長くなるように形成されている。これにより、全閉状態において中間側部８５が見付け方向（左右方向）に略沿わない場合に比べて、全閉状態における指はさみ防止部８０と周辺部材との形状の統一性を維持することができるので、指はさみ防止部８０と周辺部材との意匠の調和が図りやすくなる。
【００４７】
このような第１の特徴によれば、扉体２０の回動状態に関わらず、指はさみ防止部８０と戸尻側縦枠１１との相互間の隙間にユーザの指がはさまることを防止し、且つ扉１の使用性を維持しながら、指はさみ防止部８０の平面形状が円弧状部分を含む曲線形状である場合に比べて指はさみ防止部８０と周辺部材との形状の統一性を維持することができる。よって、指はさみ防止部８０と周辺部材との意匠の調和が図りやすくなるので、扉１の意匠性を維持することが可能となる。
【００４８】
（構成−扉体の構成の詳細−指はさみ防止部−指はさみ防止部の構成の詳細−第２の特徴）
次に、指はさみ防止部８０の構成の第２の特徴については、図４に示すように、全閉状態において指はさみ防止部８０が戸尻側縦枠１１よりも対象空間５の外側に突出しないように、当該指はさみ防止部８０が形成されている。ここで、指はさみ防止部８０を戸尻側縦枠１１よりも対象空間５の外側に突出しないように形成した理由は、以下に示す通りとなる。すなわち、全閉状態において指はさみ防止部８０が戸尻側縦枠１１よりも対象空間５の外側に突出する形状とした場合には、対象空間５の外側から指はさみ防止部８０が周辺部材よりも目立ちやすくなるので、これを回避するためである。
【００４９】
具体的には、上述したように、指はさみ防止部８０は、戸尻側屈曲部８１及び戸先側屈曲部８２を有する折れ線形状であって、戸尻側側部８３、戸先側側部８４、及び中間側部８５からなる折れ線形状であって、戸尻側側部８３と中間側部８５との間に戸尻側屈曲部８１が位置し、戸先側側部８４と中間側部８５との間に戸先側屈曲部８２が位置する折れ線形状にて形成されている。また、これら戸尻側側部８３、戸先側側部８４、及び中間側部８５の設置位置の詳細については、具体的には、図４に示すように、上述した設置領域Ｔ内の位置であり、且つ、全閉状態において中間側部８５が戸尻側縦枠１１よりも対象空間５の外側に突出しない位置に設置されている。
【００５０】
また、この指はさみ防止部８０の具体的な構成については任意であるが、実施の形態では、以下に示す通りに構成されている。まず、全閉状態において、図４に示すように、戸尻側屈曲部８１及び戸先側屈曲部８２が見付け方向（左右方向）に沿って相互に略面一となる折れ線形状にて形成されている。具体的には、全閉状態において、略第３仮想線Ｌ３上の位置であり、且つ、戸尻側屈曲部８１と扉体２０との相互間における見込み方向（前後方向）の距離Ｘ５（以下、「第５距離Ｘ５」と称する）と戸先側屈曲部８２と扉体２０との相互間における見込み方向（前後方向）の距離Ｘ６（以下、「第６距離Ｘ６」と称する）とが同一となる位置に、戸尻側屈曲部８１及び戸先側屈曲部８２が位置する折れ線形状にて形成されている。これにより、全閉状態において戸尻側屈曲部８１及び戸先側屈曲部８２が見付け方向（左右方向）に沿って相互に略面一とならない場合に比べて、指はさみ防止部８０と周辺部材との意匠の調和が図りやすくなるので、全閉状態における扉１の意匠性を維持することが可能となる。
【００５１】
また、図４に示すように、全閉状態において、指はさみ防止部８０の戸尻側の端部と戸尻側縦枠１１の戸先側の端部（実施の形態では、召し合わせ部７４の先端部７４ａ）とが見込み方向（前後方向）に沿って相互に略面一となるように形成されている。具体的には、全閉状態において、指はさみ防止部８０の戸尻側の端部及び召し合わせ部７４の先端部７４ａが、扉体２０の戸尻側の端部と見込み方向（前後方向）に沿って略面一となるように形成されている。これにより、全閉状態において指はさみ防止部８０と戸尻側縦枠１１との相互間の隙間を介して他の部材（例えば、第１気密部１６等）が対象空間５の外側から見えることを抑制できるので、全閉状態における扉１の意匠性を一層維持することが可能となる。
【００５２】
このような第２の特徴によれば、全閉状態において指はさみ防止部８０を戸尻側縦枠１１よりも対象空間５の外側に突出させた場合に比べて、指はさみ防止部８０が目立たなくなることから、全閉状態における扉１の意匠性を維持することが可能となる。
【００５３】
（構成−扉体の構成の詳細−指はさみ防止部−指はさみ防止部の構成の詳細−その他の構造）
次いで、指はさみ防止部８０の構成のその他の構造について説明する。図４、図５に示すように、指はさみ防止部８０には、カバー部８６、取付孔８７、第１嵌込部８８、及び第２嵌込部８９が設けられている。
【００５４】
カバー部８６は、外側表面材４１の戸尻側の部分（戸尻側の見込面）と内側表面材４２の戸尻側の部分（戸尻側の見込面）との突き合せ部９０を覆うためのカバー手段である。このカバー部８６は、例えば、アルミニウム材、スチール材、ステンレス材、又は樹脂材等にて形成されており、、指はさみ防止部８０の戸尻側の端部から対象空間５の内側に向けて突出するように配置され、指はさみ防止部８０に対して接続されている。また、カバー部８６の具体的な形状については任意であるが、実施の形態では、図６（ｂ）から図６（ｄ）に示すように、全開状態又は非全開閉状態のいずれの状態においてもカバー部８６が戸尻側縦枠１１に設けられた第１気密部１６と接触しないように形状にて形成されている。具体的には、カバー部８６の前後方向の長さ（奥行き）が扉体２０の前後方向の長さ（奥行き）と長さよりも短く（より具体的には、扉体２０の前後方向の長さの半分よりも短く）なるように形成されていると共に、カバー部８６の上下方向の長さ（高さ）が扉体２０の上下方向の長さ（高さ）よりも短く（又は略同一）なるように形成されている。これにより、全開状態又は非全開閉状態のいずれの状態においてもカバー部８６と戸尻側縦枠１１に設けられた第１気密部１６との接触によって当該第１気密部１６が捲りあがることを抑制できるので、全閉状態において戸先側縦枠１３と扉体２０との相互間の気密性が低下することを回避できる。このようなカバー部８６によって、上記突き合せ部９０を介して扉体２０の内部に水等が浸入すること抑制できるので、扉体２０の内部に配置された部材（例えば、扉フレーム３０等）が錆びることを抑制することが可能となる。
【００５５】
また、取付孔８７は、指はさみ防止部８０及びカバー部８６を扉体２０（具体的には、戸尻側縦力骨３１）に取り付けるための固定具（例えば、ネジ等）を挿通するための貫通孔であり、カバー部８６において上下方向に沿って複数並設されている。また、第１嵌込部８８は、固定具（例えば、モールクリップ等）を嵌め込むためのものであり、指はさみ防止部８０の戸先側側部８４及び中間側部８５に上下方向に沿って複数並設されている。また、第２嵌込部８９は、固定具（例えば、キャップ等）を嵌め込むためのものであり、指はさみ防止部８０の戸尻側側部８３に少なくとも１つ以上設けられている。これら取付孔８７、第１嵌込部８８、及び第２嵌込部８９によって、固定具を指はさみ防止部８０又は扉体２０に容易に取り付けることができ、指はさみ防止部８０の取付作業を効率良く行うことができる。
【００５６】
また、このように構成された指はさみ防止部８０は任意の方法や材質で製造することができ、例えば、指はさみ防止部８０の製造性を高めるために、押出成形等によって形成された既製の成形材であり、戸尻側側部８３、戸先側側部８４、中間側部８５、及びカバー部８６を有する成形材（一例として、アルミ形材等）に、取付孔８７を孔加工することで製造してもよい。あるいは、これに限られず、アルミニウム材、スチール材、ステンレス材の板状体を折り曲げ成形することにより、戸尻側側部８３、戸先側側部８４、中間側部８５、及びカバー部８６を一体に成形し、この折り曲げ成形の前後のいずれかの時点で、取付孔８７を孔加工することで製造してもよい。
【００５７】
（扉の作用）
続いて、このように構成された扉１の作用について説明する。
【００５８】
まず、図６（ａ）に示すように、全閉状態において、指はさみ防止部８０が召し合わせ部７４の先端部７４ａよりも対象空間５の外側に突出していないので、指はさみ防止部８０を召し合わせ部７４の先端部７４ａよりも対象空間５の外側に突出させた場合に比べて、指はさみ防止部８０が目立たなくなる。また、指はさみ防止部８０が召し合わせ部７４の平面形状が上記折れ線形状であるので、指はさみ防止部８０の平面形状が円弧状部分を含む曲線形状である場合に比べて、指はさみ防止部８０と周辺部材との形状の統一性を維持することができる。また、召し合わせ部７４の先端部７４ａと指はさみ防止部８０との相互間の最小距離がユーザの指の挿入ができない距離であるので、扉１の安全性を確保することができる。
【００５９】
また、図６（ｂ）から図６（ｄ）に示すように、非全開閉状態及び全開状態において、指はさみ防止部８０が召し合わせ部７４の平面形状が上記折れ線形状であるので、指はさみ防止部８０の平面形状が円弧状部分を含む曲線形状である場合に比べて、指はさみ防止部８０と周辺部材との形状の統一性を維持することができる。また、召し合わせ部７４の先端部７４ａと指はさみ防止部８０との相互間の最小距離がユーザの指の挿入ができない距離であるので、扉１の安全性を確保することができる。
【００６０】
（効果）
このように実施の形態によれば、指はさみ防止部８０の平面形状を、扉体２０の回動状態に関わらず当該指はさみ防止部８０が戸尻側縦枠１１と接触することを回避可能な折れ線形状であり、少なくとも２つ以上の屈曲部を有する折れ線形状に形成したので、扉体２０の回動状態に関わらず、指はさみ防止部８０と戸尻側縦枠１１との相互間の隙間にユーザの指がはさまることを防止し、且つ扉１の使用性を維持することができる。また、特に、指はさみ防止部８０の平面形状が円弧状部分を含む曲線形状である場合に比べて、周辺部材が従来より直線を中心とした平面形状にデザインされていることからすると、指はさみ防止部８０と周辺部材との形状の統一性を維持することができる。よって、指はさみ防止部８０と周辺部材との意匠の調和が図りやすくなるので、扉１の意匠性を維持することが可能となる。
【００６１】
全閉状態において指はさみ防止部８０が戸尻側縦枠１１よりも対象空間５の外側に突出しないように、当該指はさみ防止部８０を形成したので、全閉状態において指はさみ防止部８０を戸尻側縦枠１１よりも対象空間５の外側に突出させた場合に比べて、指はさみ防止部８０が目立たなくなることから、全閉状態における扉１の意匠性を維持することが可能となる。
【００６２】
また、全閉状態においてヒンジ部の回転中心位置Ｃが扉体２０の見付け方向（左右方向）に沿った中心線よりも対象空間５の外側に位置するように、当該扉体２０を配置し、戸先側屈曲部８２と回転中心位置Ｃとの相互間における見付け方向の第１距離Ｘ１が戸尻側屈曲部８１と回転中心位置Ｃとの相互間における見付け方向の第２距離Ｘ２以下となるように、当該戸尻側屈曲部８１及び当該戸先側屈曲部８２を配置したので、第１距離Ｘ１が第２距離Ｘ２を上回る場合に比べて、全開状態寄りの非全開閉状態において指はさみ防止部８０と戸尻側縦枠１１との相互間の隙間を大きくすることができる。これにより、指はさみ防止部８０又は戸尻側縦枠１１の製造精度の影響（例えば部材の歪、ゆがみ等の影響）で指はさみ防止部８０が戸尻側縦枠１１と接触することを回避できるので、扉１の使用性を一層維持することが可能となる。
【００６３】
また、戸先側側部８４の扉体２０に対する第１傾斜角度α１が戸尻側側部８３の扉体２０に対する第２傾斜角度α２以下になるように、当該戸尻側側部８３及び当該戸先側側部８４を形成したので、第１傾斜角度α１を第２傾斜角度α２よりも大きくした場合に比べて、全開状態（又は全開状態に近い非全開閉状態）において指はさみ防止部８０と戸尻側縦枠１１との相互間の隙間を小さくすることができる。これにより、上記隙間に指が挟まることを回避できるので、扉１の安全性を一層確保することが可能となる。
【００６４】
また、全閉状態において指はさみ防止部８０の戸尻側の端部と戸尻側縦枠１１の戸先側の端部とが見込み方向に沿って相互に略面一となるように、当該指はさみ防止部８０を形成したので、全閉状態において指はさみ防止部８０と戸尻側縦枠１１との相互間の隙間を介して他の部材（例えば、第１気密部１６等）が対象空間５の外側から見えることを抑制でき、全閉状態における扉１の意匠性をさらに一層維持することが可能となる。
【００６５】
また、指はさみ防止部８０に設けられたカバー部８６であり、外側表面材４１の戸尻側の部分と内側表面材４２の戸尻側の部分との突き合せ部９０を覆うためのカバー部８６を備えたので、突き合せ部９０を介して扉体２０の内部に水等が浸入すること抑制でき、扉体２０の内部に配置された部材（例えば、扉フレーム３０等）が錆びることを抑制することが可能となる。
【００６６】
また、全開状態又は非全開閉状態のいずれの状態においてもカバー部８６が戸尻側縦枠１１に設けられた第１気密部１６と接触しないように、当該カバー部８６を形成したので、全開状態又は非全開閉状態のいずれの状態においてもカバー部８６と当該第１気密部１６との接触によって当該第１気密部１６が捲りあがることを抑制でき、全閉状態において戸尻側縦枠１１と扉体２０との相互間の気密性が低下することを回避できる。
【００６７】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る扉１の意匠性が従来と同程度であっても、従来と異なる構造により従来と同程度の意匠性を確保できている場合には、本願の課題は解決している。
【００６９】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００７０】
（扉について）
上記実施の形態では、扉１は、袖パネル体６０を備えていると説明したが、これに限られず、例えば、扉１の設置コストを低減するために、袖パネル体６０を省略してもよい。
【００７１】
（扉体について）
上記実施の形態では、扉体２０の扉フレーム３０は、４つの力骨（左右一対の縦力骨３１、３２及び上下一対の横力骨）を備えていると説明したが、これに限られず、例えば、５つ以上の力骨を備えてもよく、又は３つ以下の力骨を備えてもよい。また、上記実施の形態では、扉体２０は扉フレーム３０及びコア５０を備えていると説明したが、これに限られず、例えば扉フレーム３０及びコア５０を省略してもよい。
【００７２】
また、上記実施の形態では、扉体２０は、全閉状態においてヒンジ部の回転中心位置Ｃが扉体２０の見付け方向（左右方向）に沿った中心線よりも対象空間５の外側に位置するように設置されていると説明したが、これに限られない。例えば、戸尻側側部８３、戸先側側部８４、及び中間側部８５が設置領域Ｔ内に位置するのであれば、上記中心線上に設置されてもよく、あるいは、上記中心線よりも対象空間５の内側に位置するように設置されてもよい。
【００７３】
（指はさみ防止部について）
上記実施の形態では、指はさみ防止部８０の平面形状を２つの屈曲部（戸尻側屈曲部８１及び戸先側屈曲部８２）を有する折れ線形状に形成したと説明したが、これに限られない。例えば、指はさみ防止部８０が戸尻側縦枠１１と接触しないのであれば、指はさみ防止部８０の平面形状を３つ以上の屈曲部を有する折れ線形状に形成してもよい。
【００７４】
また、上記実施の形態では、指はさみ防止部８０は、全閉状態において戸尻側縦枠１１よりも対象空間５の外側に突出しないように形成されていると説明したが、これに限られない。例えば、全閉状態において戸尻側側部８３、戸先側側部８４、及び中間側部８５が設置領域Ｔ内に位置するのであれば、戸尻側縦枠１１よりも対象空間５の外側に突出させてもよい。
【００７５】
また、上記実施の形態では、戸尻側屈曲部８１及び戸先側屈曲部８２は、見付け方向（左右方向）に沿って相互に略面一となる折れ線形状にて形成されていると説明したが、これに限られず、例えば、見付け方向（左右方向）に沿って相互に略面一とならない折れ線形状にて形成されてもよい。また、上記実施の形態では、全閉状態において、指はさみ防止部８０の戸尻側の端部と戸尻側縦枠１１の戸先側の端部とは、見込み方向（前後方向）に沿って相互に略面一となるように形成されていると説明したが、これに限られず、例えば、見込み方向（前後方向）に沿って相互に略面一とならないように形成されてもよい。
【００７６】
また、上記実施の形態では、戸尻側屈曲部８１及び戸先側屈曲部８２は、第１距離Ｘ１が第２距離Ｘ２以下となるように設置されていると説明したが、これに限られず、例えば、第１距離Ｘ１が第２距離Ｘ２を上回るように設置されてもよい。また、上記実施の形態では、戸尻側側部８３及び戸先側側部８４は、第１傾斜角度α１が第２傾斜角度α２以下となるように形成されていると説明したが、これに限られず、例えば、第１傾斜角度α１が第２傾斜角度α２よりも大きくなるように形成されてもよい。
【００７７】
また、上記実施の形態では、指はさみ防止部８０には、カバー部８６、取付孔８７、第１嵌込部８８、及び第２嵌込部８９が設けられていると説明したが、これに限られない。例えば、指はさみ防止部８０が扉体２０に対して溶接で取り付けられる場合には、カバー部８６、取付孔８７、第１嵌込部８８、及び第２嵌込部８９を省略してもよい。
【００７８】
（カバー部について）
上記実施の形態では、カバー部８６は、全開状態又は非全開閉状態のいずれの状態においても、戸尻側縦枠１１に設けられた第１気密部１６と接触しないように形状にて形成されていると説明したが、これに限られない。例えば、全開状態又は非全開閉状態のいずれの状態においても、カバー部８６によって上記第１気密部１６（特に、エッジ部１６ａ）が捲りあがることを回避可能に当該第１気密部１６と接触するように形成されてもよい。具体的には、カバー部８６の前後方向の長さ（奥行き）が、全開状態又は非全開閉状態においてカバー部８６がエッジ部１６ａと接触した場合でも、当該接触によってエッジ部１６ａが左側に向けて折れ曲がらない程度の長さとなるように形成される。
【００７９】
（付記）
付記１の扉は、建物の対象空間へ出入りするための開口部に設けられる扉であり、前記開口部の周縁に設けられた枠体と、前記枠体を構成する枠材のうち上側に位置する上側枠材及び下側に位置する下側枠材の各々に取り付けられたヒンジ部によって回動自在に軸支された扉体とを備えた扉であって、前記扉体における前記対象空間の外側の側面のうち戸尻側の部分に設けられた指はさみ防止手段であり、当該扉体の回動状態に関わらず、当該指はさみ防止手段と前記枠体を構成する枠材のうち戸尻側に位置する戸尻側枠材との相互間の隙間にユーザの指がはさまることを防止するための指はさみ防止手段を備え、前記指はさみ防止手段の平面形状を、前記扉体の回動状態に関わらず当該指はさみ防止手段が前記戸尻側枠材と接触することを回避可能な折れ線形状であり、少なくとも２つ以上の屈曲部を有する折れ線形状に形成した。
【００８０】
付記２の扉は、付記１に記載の扉において、前記扉体によって前記開口部を全閉した全閉状態において前記指はさみ防止手段が前記戸尻側枠材よりも前記対象空間の外側に突出しないように、当該指はさみ防止手段を形成した。
【００８１】
付記３の扉は、付記１又は２に記載の扉において、前記少なくとも２つ以上の屈曲部は、前記扉体によって前記開口部を全閉した全閉状態において最も戸尻側に位置する戸尻側屈曲部と、前記全閉状態において最も戸先側に位置する戸先側屈曲部とを備え、前記全閉状態において前記ヒンジ部の回転中心位置が前記扉体の見付け方向に沿った中心線よりも前記対象空間の外側に位置するように、当該扉体を配置し、前記戸先側屈曲部と前記回転中心位置との相互間における見付け方向の第１距離が前記戸尻側屈曲部と前記回転中心位置との相互間における見付け方向の第２距離以下となるように、当該戸尻側屈曲部及び当該戸先側屈曲部を配置した。
【００８２】
付記４の扉は、付記３に記載の扉において、前記指はさみ防止手段は、当該指はさみ防止手段の戸尻側の端部から前記戸尻側屈曲部に至る戸尻側側部と、当該指はさみ防止手段の戸先側の端部から前記戸先側屈曲部に至る戸先側側部とを備え、前記戸先側側部の前記扉体に対する第１傾斜角度が前記戸尻側側部の前記扉体に対する第２傾斜角度以下になるように、当該戸尻側側部及び当該戸先側側部を形成した。
【００８３】
付記５の扉は、付記１から４のいずれか一項に記載の扉において、前記全閉状態において前記指はさみ防止手段の戸尻側の端部と前記戸尻側枠材の戸先側の端部とが見込み方向に沿って相互に略面一となるように、当該指はさみ防止手段を形成した。
【００８４】
付記６の扉は、付記１から５のいずれか一項に記載の扉において、前記扉体は、当該扉体の戸尻側の側面の一部を覆う第１表面材と、当該扉体の戸尻側の側面の他の一部を覆う第２表面材と、を備え、前記指はさみ防止手段に設けられたカバー手段であり、前記第１表面材の戸尻側の部分と前記第２表面材の戸尻側の部分との突き合せ部を覆うためのカバー手段を備えた。
【００８５】
付記７の扉は、付記６に記載の扉において、前記戸尻側枠材の側部のうち、前記対象空間に位置する側部に設けられた気密手段であり、前記全閉状態において、前記扉体に密接することにより、当該戸尻側枠材と当該扉体との相互間の気密性を高めるための気密手段を備え、前記扉体によって前記開口部を全開した全開状態又は前記全閉状態と前記全開状態との間の状態にある非全開閉状態のいずれの状態においても、前記カバー手段が前記気密手段と接触しない又は前記カバー手段によって前記気密手段が捲りあがることを回避可能に当該気密手段と接触するように、当該カバー手段を形成した。
【００８６】
（付記の効果）
付記１に記載の扉によれば、指はさみ防止手段の平面形状を、扉体の回動状態に関わらず当該指はさみ防止手段が戸尻側枠材と接触することを回避可能な折れ線形状であり、少なくとも２つ以上の屈曲部を有する折れ線形状に形成したので、扉体の回動状態に関わらず、指はさみ防止手段と戸尻側枠材との相互間の隙間にユーザの指がはさまることを防止し、且つ扉の使用性を維持することができる。また、特に、指はさみ防止手段の平面形状が円弧状部分を含む曲線形状である場合に比べて、当該指はさみ防止手段の周辺部材が従来より直線を中心とした平面形状にデザインされていることからすると、扉体の回動状態に関わらず、指はさみ防止手段と上記周辺部材との形状の統一性を維持することができる。よって、指はさみ防止手段と上記周辺部材との意匠の調和が図りやすくなるので、扉の意匠性を維持することが可能となる。
【００８７】
付記２に記載の扉によれば、全閉状態において指はさみ防止手段が戸尻側枠材よりも対象空間の外側に突出しないように、当該指はさみ防止手段を形成したので、全閉状態において指はさみ防止手段を戸尻側枠材よりも対象空間の外側に突出させた場合に比べて、指はさみ防止手段が目立たなくなることから、全閉状態における扉の意匠性を維持することが可能となる。
【００８８】
付記３に記載の扉によれば、全閉状態においてヒンジ部の回転中心位置が扉体の見付け方向に沿った中心線よりも対象空間の外側に位置するように、当該扉体を配置し、戸先側屈曲部と回転中心位置との相互間における見付け方向の第１距離が戸尻側屈曲部と回転中心位置との相互間における見付け方向の第２距離以下となるように、当該戸尻側屈曲部及び当該戸先側屈曲部を配置したので、第１距離が第２距離上回る場合に比べて、全開状態寄りの非全開閉状態において指はさみ防止手段と戸尻側縦枠との相互間の隙間を大きくすることができる。これにより、指はさみ防止手段又は戸尻側枠材の製造精度の影響（例えば部材の歪、ゆがみ等の影響）で指はさみ防止手段が戸尻側枠材と接触することを回避できるので、扉の使用性を一層維持することが可能となる。
【００８９】
付記４に記載の扉によれば、戸先側側部の扉体に対する第１傾斜角度が戸尻側側部の扉体に対する第２傾斜角度以下になるように、当該戸尻側側部及び当該戸先側側部を形成したので、第１傾斜角度を第２傾斜角度よりも大きくした場合に比べて、全開状態（又は全開状態に近い非全開閉状態）において指はさみ防止手段と戸尻側枠材との相互間の隙間を小さくすることができる。これにより、上記隙間に指が挟まることを回避できるので、扉の安全性を一層確保することが可能となる。
【００９０】
付記５に記載の扉によれば、全閉状態において指はさみ防止手段の戸尻側の端部と戸尻側枠材の戸先側の端部とが見込み方向に沿って相互に略面一となるように、当該指はさみ防止手段を形成したので、全閉状態において指はさみ防止手段と戸尻側枠材との相互間の隙間を介して他の部材が対象空間の外側から見えることを抑制でき、全閉状態における扉の意匠性をさらに一層維持することが可能となる。
【００９１】
付記６に記載の扉によれば、指はさみ防止手段に設けられたカバー手段であり、第１表面材の戸尻側の部分と第２表面材の戸尻側の部分との突き合せ部を覆うためのカバー手段を備えたので、突き合せ部を介して扉体の内部に水等が浸入すること抑制でき、扉体の内部に配置された部材が錆びることを抑制することが可能となる。
【００９２】
付記７に記載の扉によれば、全開状態又は非全開閉状態のいずれの状態においても、カバー手段が気密手段と接触しない又はカバー手段によって気密手段が捲りあがることを回避可能に当該気密手段と接触するように、当該カバー手段を形成したので、全開状態又は非全開閉状態のいずれの状態においてもカバー手段と気密手段との接触によって気密手段が捲りあがることを抑制でき、全閉状態において戸尻側枠材と扉体との相互間の気密性が低下することを回避できる。
【符号の説明】
【００９３】
１  扉
２  開口部
３  隣接空間
５  対象空間
６  躯体
１０  枠体
１１  縦枠（戸尻側縦枠）
１２  縦枠（袖パネル体側縦枠）
１３  縦枠（戸先側縦枠）
１４  横枠（上側横枠）
１５  横枠（下側横枠）
１６  第１気密部
１６ａ  エッジ部
２０  扉体
２１  扉体の対象空間の外側の側面の端部のうち戸尻側の端部
３０  扉フレーム
３１  縦力骨（戸尻側縦力骨）
３２  縦力骨（戸先側縦力骨）
４１  表面材（外側表面材、第１表面材）
４２  表面材（内側表面材、第２表面材）
５０  コア
５１  ドアガード
５２  ドアクローザ
５３  把手
６０  袖パネル体
６１  パネル枠
６２  化粧材
７１  第１凹部
７２  第２凹部
７４  召し合わせ部
７４ａ  先端部
８０  指はさみ防止部
８１  戸尻側屈曲部
８２  戸先側屈曲部
８３  戸尻側側部
８４  戸先側側部
８５  中間側部
８６  カバー部
８７  取付孔
８８  第１嵌込部
８９  第２嵌込部
９０  突き合せ部
Ｃ  回転中心位置
Ｌ１  第１仮想線
Ｌ２  第２仮想線
Ｌ３  第３仮想線
Ｔ  設置領域
Ｘ１  第１距離
Ｘ２  第２距離
Ｘ３  第３距離
Ｘ４  第４距離
Ｘ５  第５距離
Ｘ６  第６距離
α１  第１傾斜角度
α２  第２傾斜角度
Ｓ１  隙間
Ｓ２  隙間
Ｓ３  隙間
【図１】
2018053636.tif 000003
【図２】
2018053636.tif 000004
【図３】
2018053636.tif 000005
【図４】
2018053636.tif 000006
【図５】
2018053636.tif 000007
【図６】
2018053636.tif 000008
【図７】
2018053636.tif 000009
【図８】
2018053636.tif 000010